(57)【要約】【課題】簡単に識別機能を付加することができ、類似した他の包装箱が混入した際に、設備を用いずに短時間で識別が可能となる識別用穴を備えた包装箱を提供する。【解決手段】紙を折上げて箱体に組立てる構造を有する識別用穴を備えた包装箱であって、  前記包装箱を組み立てて折り畳まれた状態において、前記箱体の一部を構成する蓋部と重ならない側の内フラップ部に、１つ以上の識別用穴が形成されており、  前記識別用穴を利用して、組み立てて折り畳まれた他の包装箱と重ね合わされた状態で位置合わせをすることにより、類似した包装箱との識別をするように構成されている。【選択図】            図３
2010105709.tif 000002
【特許請求の範囲】
【請求項１】
紙を折上げて箱体に組立てる構造を有する識別用穴を備えた包装箱であって、
前記包装箱を組み立てて折り畳まれた状態において、前記箱体の一部を構成する蓋部と重ならない側の内フラップ部に、１つ以上の識別用穴が形成されており、
前記識別用穴を利用して、組み立てて折り畳まれた他の包装箱と重ね合わされた状態で位置合わせをすることにより、類似した包装箱との識別をすることを特徴とする識別用穴を備えた包装箱。
【請求項２】
前記箱体は、展開状態において折り目を介して連接された第１側面部から第４側面部による４つの側面部と、
前記第１側面部における前記各側面部の連接されている方向に対し直交する方向の一方の端部側に、折り目を介して連接された前記蓋部と、
前記第１および第３側面部における前記一方の端部側と対向する他方の端部側に、折り目を介して連接された底部と、
前記第２および第４側面部における前記各側面部の連接されている方向に対し直交する方向の一方の端部側に、折り目を介して連接された内フラップ部と、
前記第２および第４側面部における前記一方の端部側と対向する他方の端部側に、折り目を介して連接された底のり貼り部と、を備え、
前記識別用穴が、前記第４側面部に連接された内フラップ部に形成されていることを特徴とする請求項１に記載の包装箱。
【請求項３】
請求項１に記載の包装箱が、折り畳まれた状態で複数枚重ね合わされており、該複数枚重ね合わされた包装箱の識別用穴に結束手段を設けて結束されていることを特徴とする包装箱。
【発明の詳細な説明】
【技術分野】
【０００１】
本発明は、識別用穴を備えた包装箱に関するものである。
【背景技術】
【０００２】
精密機器の包装箱には類似した寸法のものや意匠のものがあり、一度混入してしまうと見分けることが難しいという問題があった。
従来、このような類似した包装箱の識別方法としては、層別色を追加して識別する方法や、固有のバーコードを印刷して識別する方法がある。
また、箱の外側の上面に切欠部を設け、この位置と形状で箱を簡易的に識別する方法がある（例えば、特許文献１参照）。
【特許文献１】特開平１１−２３６０３１号公報（第５頁、図１）
【発明の開示】
【発明が解決しようとする課題】
【０００３】
上記した従来の包装箱の識別方法は、いづれにおいてもつぎのような課題を有している。
例えば、包装箱の識別方法として層別色を使ったものでは、色によって区別が困難な場合が生じる。
また、バーコードを使用した方法では、１点１点読み込む必要があり、識別する設備が必要で、確認に時間を要するという問題が生じる。
また、箱の外側の上面に切欠部を設け、この位置と形状で箱を識別する方法では、箱の外側にある切欠部を触感や見た目で識別することから、似た位置や形状では区別が困難で、また箱の形状により採用が困難な場合があった。
【０００４】
本発明では、上記課題に鑑み、簡単に識別機能を付加することができ、類似した他の包装箱が混入した際に、設備を用いずに短時間で識別が可能となる識別用穴を備えた包装箱の提供を目的とする。
【課題を解決するための手段】
【０００５】
本発明は、上記課題を解決するため、つぎのように構成した識別用穴を備えた包装箱を提供するものである。
本発明の識別用穴を備えた包装箱は、紙を折上げて箱体に組立てる構造を有する識別用穴を備えた包装箱であって、
前記包装箱を組み立てて折り畳まれた状態において、前記箱体の一部を構成する蓋部と重ならない側の内フラップ部に、１つ以上の識別用穴が形成されており、
前記識別用穴を利用して、組み立てて折り畳まれた他の包装箱と重ね合わされた状態で位置合わせをすることにより、類似した包装箱との識別をすることを特徴とする。
また、本発明の識別用穴を備えた包装箱は、前記箱体は、展開状態において折り目を介して連接された第１側面部から第４側面部による４つの側面部と、
前記第１側面部における前記各側面部の連接されている方向に対し直交する方向の一方の端部側に、折り目を介して連接された前記蓋部と、
前記第１および第３側面部における前記一方の端部側と対向する他方の端部側に、折り目を介して連接された底部と、
前記第２および第４側面部における前記各側面部の連接されている方向に対し直交する方向の一方の端部側に、折り目を介して連接された内フラップ部と、
前記第２および第４側面部における前記一方の端部側と対向する他方の端部側に、折り目を介して連接された底のり貼り部と、を備え、
前記識別用穴が、前記第４側面部に連接された内フラップ部に形成されていることを特徴とする。
また、本発明の識別用穴を備えた包装箱は、上記した包装箱が、折り畳まれた状態で複数枚重ね合わされており、該複数枚重ね合わされた包装箱の識別用穴に結束手段を設けて結束されていることを特徴とする。
【発明の効果】
【０００６】
本発明によれば、簡単に識別機能を付加することができ、類似した他の包装箱が混入した際に、設備を用いずに短時間で識別が可能となる。
【発明を実施するための最良の形態】
【０００７】
本発明においては、上記したように、本発明の識別用穴を備えた包装箱は、紙を折上げて箱体に組立てる構造を有する識別用穴を備えた包装箱において、内フラップ部に、１つ以上の識別用穴が形成される。
すなわち、前記包装箱を組み立てて折り畳まれた状態において、前記箱体の一部を構成する蓋部と重ならない側の内フラップ部に、１つ以上の識別用穴が形成される。
これにより、前記識別用穴を利用して、組み立てて折り畳まれた他の包装箱と重ね合わされた状態で位置合わせをすることにより、類似した包装箱との識別が可能とされる。
例えば、箱の製造時や梱包作業時等において、寸法や意匠など種類の違う類似した包装箱との識別を行なうことができる。
また、出荷時や保管時は、この穴に棒状、或いはひも状のもの等を通して保管することで、同一のものが保管されていることが確認でき、類似の箱が混入することを防ぐことができる。
【実施例】
【０００８】
実施例として、本発明を適用した識別用穴を備えた包装箱の構成例について説明する。
図１に、本実施例における識別用穴を備えた包装箱の組み立て前の展開図を示す。
図１において、１０１は組み立て前の展開状態における包装箱の構成を示すものである。
１、２、３、４は側面部、１ｓは差しこみフラップ、１ｆは蓋部、１ｂ、３ｂは底部、２ｂ、４ｂは底のり貼り部、２ｆ、４ｆは内フラップ部である。
なお、ここで示す包装箱１０１の形態は、包装箱形態の１例であり、本発明はこのような構成に限定されるものではない。
例えば、蓋の位置や底形状が違う場合でも、同じルールで識別穴を設置することにより、本発明を適用することができる。
また、図１の説明において、「上」、「下」、「左」、「右」とは、この図に示された向きでの上下左右に対応する状態を指している。
【０００９】
本実施例の包装箱１０１は、前記箱体が、展開状態において折り目を介して連接された第１側面部から第４側面部による４つの側面部１〜４を備えている。
また、前記第１側面部における前記各側面部の連接されている方向に対し直交する方向の一方の端部側に、折り目を介して蓋部が連接されている。
すなわち、図１に示されるように、側面部１（第１側面部）の上側には蓋部１ｆが折り目を介して連接され、蓋部１ｆの上側には差しこみフラップ部１ｓが折り目を介して連接されている。
また、前記第１側面部における前記一方の端部側と対向する他方の端部側に、折り目を介して底部が連接されている。
すなわち、図１に示されるように、側面部１の左側には、のり貼り部５が折り目を介して連接され、側面部１の下側には底部１ｂが折り目を介して連接されている。
前記第２側面部における前記各側面部の連接されている方向に対し直交する方向の一方の端部側に、折り目を介して内フラップ部が連接され、前記一方の端部側と対向する他方の端部側に、折り目を介して底のり貼り部が連接されている。
すなわち、図１に示されるように、側面部２（第２側面部）の上側には、フラップ部２ｆが折り目を介して連接され、側面部２の下側には底のり貼り部２ｂが折り目を介して連接されている。
また、第３側面部における前記一方の端部側と対向する他方の端部側に、折り目を介して底部が連接されている。
すなわち、図１に示されるように、側面部３（第３側面部）の下側には、底部３ｂが折り目を介して連接されている。
また、前記第４側面部における前記各側面部の連接されている方向に対し直交する方向の一方の端部側に、折り目を介して内フラップ部が連接され、前記一方の端部側と対向する他方の端部側に、折り目を介して底のり貼り部が連接されている。
すなわち、図１に示されるように、側面部４（第４側面部）の上側には、内フラップ部４ｆが折り目を介して連接され、側面部４の下側には、底のり貼り部４ｂが折り目を介して連接されている。
さらに、この内フラップ部４ｆには識別用穴４ｈが形成されている。
【００１０】
つぎに、本実施例の識別用穴を備えた包装箱における識別用穴の位置の構成について説明する。
図２に、本実施例の図１に示された識別用穴を備えた包装箱１０１が、のり貼り工程を終えて折り畳まれた状態を示す。
以下に、包装箱１０１の組立の手順について説明する。
包装箱１０１の組立に際し、まず、底部１ｂと底のり貼り部２ｂを、折り目を介して側面部１、２側に折り曲げる。
また、底部３ｂと底のり貼り部４ｂを、折り目を介して側面部３、４側に折り曲げる。
次に、側面部１と側面部２の折り目と、側面部３と側面部４の折り目でこれらを折り曲げ、側面部４とのり貼り部５を接合する。
ここで、識別用穴４ｈは、蓋部１ｆと重ならない必要があることから、のり貼り部５と接合する面（この例では、側面部４）に連接する内フラップ部４ｆに設定されている。
これにより、包装箱を組み立てて折り畳まれた状態において、前記蓋部と重ならない側の内フラップ部に、識別用穴を形成した構成を実現することができる。
【００１１】
図３〜図６により、本実施例の識別用穴を備えた包装箱１０１が、混入した際における包装箱の識別方法について説明する。
まず、本発明の実施例における組み立てて折り畳まれた複数枚の包装箱を、穴を基準に揃えて重ね合わされた状態として、混入した包装箱と識別する識別方法について説明する。
図３は、本実施例の識別用穴を備えた包装箱１０１が数枚重なった状態を示している。
ここで、識別用穴４ｈを用いて位置合わせをした場合、すべてが包装箱１０１である時、図３のようにきれいに重なるため、類似の寸法・意匠の包装箱が混入していないと判断することができる。
【００１２】
図４は、寸法が類似で識別用穴の位置が異なる包装箱２０１が混入した場合を示している。
ここで、識別用穴４ｈを用いて位置合わせをした場合、包装箱２０１は識別用穴の位置が違うため、この箱だけ包装箱１０１とずれる。これによりずれた包装箱２０１が混入していたことが判断できる。
【００１３】
また、図５のように上記の包装箱２０１が混入している場合で箱の形状で位置合わせをした場合、包装箱２０１は識別用穴の位置が違うため、この箱だけ識別用穴の位置がずれる。これによりずれた包装箱２０１が混入していた事が判断できる。
【００１４】
図６は、識別用穴の位置が同じで寸法が違う包装箱３０１が混入した場合を示している。
ここで、識別用穴４ｈを用いて位置合わせをした場合、包装箱３０１は箱の寸法が違うため、他の箱からはみ出したり、へこんだりしてずれる。これにより包装箱３０１が混入していたことがわかる。
【００１５】
図７は、上記した組み立てて折り畳まれた状態の包装箱を複数枚重ね合わせ、該複数枚重ね合わされた包装箱の識別用穴に結束手段を設けて結束されている状態が示されている。
具体的には、本発明の識別用穴を持った包装箱１０１が複数枚重なった状態で、識別用穴４ｈを利用し、ひもなどの結束部４ｒによって包装箱が結束された状態を示している。
このようにひもなどの結束部４ｒで結束し、識別用穴４ｈを用いて位置合わせをすることで、類似の寸法・意匠の包装箱が混入していないかどうか判断でき、そのまま混在しない状態を維持する事ができる。
これにより包装箱の納品時に容易に混入されていないことが確認できる。
また、保管時もひもなどの結束部４ｒの結束を解かないことで混入を防止できる。
梱包時に使用枚数が余り、再度保管する場合でも、識別用穴４ｈを利用し、ひもなどの結束部４ｒにより結束して保管することで、類似の寸法・意匠の包装箱が混入していないかどうか判断でき、そのまま混在しない状態を維持することができる。
なお、ひもなどの結束に変え、棒状のもの（例えば吊り下げ用の棒）を通すことでも同様の効果が得られる。
【図面の簡単な説明】
【００１６】
【図１】本発明の実施例における識別用穴を備えた包装箱の組み立て前の展開図。
【図２】本発明の実施例の図１に示された識別用穴を備えた包装箱が、のり貼り工程を終えて折り畳まれた状態を示す図。
【図３】本発明の実施例における組み立てて折り畳まれた複数枚の包装箱を、穴を基準に揃えて重ね合わされた状態として、混入した包装箱と識別する識別方法について説明する図。
【図４】本発明の実施例における識別用穴を備えた包装箱に、寸法が類似で識別用穴の位置が異なる包装箱が混入した際における、識別用穴を基準にした識別方法について説明する図。
【図５】本発明の実施例における識別用穴を備えた包装箱に、寸法が類似で識別用穴の位置が異なる包装箱が混入した際における、箱の形状を基準にした識別方法について説明する図。
【図６】本発明の実施例における識別用穴を備えた包装箱に、寸法が異なり識別用穴の位置が同じ包装箱が混入した際における、識別用穴を基準にした識別方法について説明する図。
【図７】本発明の実施例における識別用穴を備えた包装箱が複数枚重なった状態で、識別用穴を利用してひもなどの結束部によって包装箱が結束された状態を示す図。
【符号の説明】
【００１７】
１、２、３、４：側面部
１ｓ：差しこみフラップ
１ｆ：蓋部
１ｂ、３ｂ：底部
２ｂ、４ｂ：底のり貼り部
２ｆ、４ｆ：内フラップ部
４ｈ：識別穴部
４ｒ：結束部
５：のり貼り部
１０１：識別用穴を持った包装箱
２０１：１０１とは識別用穴の位置が違う包装箱
３０１：１０１とは箱の長さが違う識別用穴を持った包装箱
【図１】
2010105709.tif 000003
【図２】
2010105709.tif 000004
【図３】
2010105709.tif 000005
【図４】
2010105709.tif 000006
【図５】
2010105709.tif 000007
【図６】
2010105709.tif 000008
【図７】
2010105709.tif 000009